(57)【特許請求の範囲】
【請求項１】
押し花にホットメルト溶液を添加するホットメルト溶液添加工程と、該ホットメルト溶液添加工程でホットメルト溶液が添加された押し花を剥離シートに並べ、ホットメルト溶液を乾燥させる乾燥工程と、該乾燥工程でホットメルト溶液を乾燥させた押し花をカードに接着する接着工程と、該接着工程により接着した押し花の表面に押し花保護剤を塗布する保護剤塗布工程とで構成され、前記ホットメルト溶液はホットメルト接着剤を有機溶媒に溶融させたものであり、かつ、ホットメルト溶液に溶融しているホットメルト接着剤の濃度が５〜２０ｖｏｌ．％であることを特徴とするカードの製造方法。
【請求項２】
前記ホットメルト溶液に溶融しているホットメルト接着剤の濃度が７〜１２ｖｏｌ．％であることを特徴とする請求項１記載のカードの製造方法。
【発明の詳細な説明】
【技術分野】
【０００１】
本発明は表面に押し花を貼付けたカードの製造方法に関する。
【背景技術】
【０００２】
従来のカードの製造方法としては、カード類の表面に押し花を配置し、カード類全体をラミネート加工して押し花を表面に固定したカード類や（特許文献１）、台紙を熱可塑性樹脂で覆い、押し花を熱溶着により接着したカード（特許文献２）等が知られている。
【０００３】
しかしながら、特許文献１のカード類ではカード全体を薄葉紙で覆っているため、台紙の質感や押し花の凹凸や質感を感じられるものではなく、特許文献２の装飾品では、押し花を接着する面以外にも接着剤が残っており、台紙部分の質感を損ねてしまうとともに、高温状態となると台紙どうしが接着されてしまうという欠点があった。
【先行技術文献】
【特許文献】
【０００４】
【特許文献１】特開平５−６８３５８号公報
【特許文献２】登録実用新案第３０１７４４７号公報
【発明の概要】
【発明が解決しようとする課題】
【０００５】
本発明は以上のような従来の欠点に鑑み、カードの台紙表面や押し花の凹凸等も質感として活かすことができ、かつ、押し花をカードの表面に確実に固定することができるカードの製造方法を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は押し花にホットメルト溶液を添加するホットメルト溶液添加工程と、該ホットメルト溶液添加工程でホットメルト溶液が添加された押し花を剥離シートに並べ、ホットメルト溶液を乾燥させる乾燥工程と、該乾燥工程でホットメルト溶液を乾燥させた押し花をカードに接着する接着工程と、該接着工程により接着した押し花の表面に押し花保護剤を塗布する保護剤塗布工程とで構成され、前記ホットメルト溶液はホットメルト接着剤を有機溶媒に溶融させたものであり、かつ、ホットメルト溶液に溶融しているホットメルト接着剤の濃度が５〜２０ｖｏｌ．％であることを特徴とする。
【発明の効果】
【０００８】
以上の説明から明らかなように、本発明にあっては次に列挙する効果が得られる。
（１）請求項１の発明においては、押し花自体にホットメルト溶液を添加しているので、カードの台紙の質感を損なうことなく、押し花をカードの表面に固定することができる。
（２）カード表面をラミネート加工等するものではないので、押し花の凹凸等の質感も指等で感じることができ、印象的なカードを製造することができる。
（３）ホットメルト溶液に溶融しているホットメルト接着剤の濃度を５〜２０ｖｏｌ．％としているので、剥離シート上に押し花を並べた際に、ホットメルト溶液が流れ出ることなく、押し花上に留まる粘度にすることができる。
したがって、押し花にホットメルト接着剤を確実に添加することができる。
（４）押し花の全体にホットメルト溶液を添加しているので、押し花に耐水処理を施した状態にすることができる。
（５）請求項２の発明においては、前記（１）〜（４）と同様な効果が得られるとともに、ホットメルト溶液の粘度をより好適な粘度にすることができる。
【図面の簡単な説明】
【０００９】
【図１】本発明を実施するための第１の形態の工程図。
【図２】本発明を実施するための第１の形態のホットメルト溶液添加工程の説明図。
【図３】本発明を実施するための第１の形態の乾燥工程の説明図。
【図４】本発明を実施するための第１の形態の接着工程の説明図。
【図５】本発明を実施するための第１の形態の保護剤塗布工程の説明図。
【図６】本発明を実施するための第２の形態の工程図。
【図７】本発明を実施するための第２の形態の接着工程の説明図。
【発明を実施するための形態】
【００１０】
以下、図面に示す本発明を実施するための形態により、本発明を詳細に説明する。
【００１１】
図１ないし図５に示す本発明を実施するための第１の形態において、１は押し花２を配置したカードの製造方法で、このカードの製造方法１は、押し花２にホットメルト溶液３を添加するホットメルト溶液添加工程４と、該ホットメルト溶液添加工程４でホットメルト溶液３を添加された押し花２ａを剥離シート５に並べ、ホットメルト溶液３を乾燥させる乾燥工程６と、該乾燥工程６でホットメルト溶液３を乾燥させた押し花２ｂをカードとしての名刺７に接着する接着工程８と、該接着工程８により接着した押し花２ｃの表面に押し花保護剤９を塗布する保護剤塗布工程１０とで構成されている。ここで、本発明においてカードとは、名刺、メッセージカード、グリーティングカード、はがき等をいうものであり、本実施の形態においては、カードの一例として名刺を例に説明している。
【００１２】
ホットメルト溶液添加工程４は、ホットメルト溶液３の中に押し花２を投入し、押し花２の周囲にホットメルト溶液３を添加する。ここで使用されるホットメルト溶液３は、エタノール５７％、酢酸エチル３５％、グリコール２％、その他６％が混合された有機溶媒１５に酢酸ビニル、ポリオフィレン、ポリエステル等のホットメルト接着剤１４を５〜２０Ｖｏｌ．％で溶解させたものである。なお、ホットメルト接着剤１４の濃度としては好適には７〜１２Ｖｏｌ．％、さらに好適には８Ｖｏｌ．％である。
【００１３】
ホットメルト接着剤１４をこの濃度で有機溶媒１５に溶解させることにより、ホットメルト溶液の粘度が好適となり、後述する乾燥工程６においてホットメルト溶液３を添加した押し花２ａを剥離シート５上に並べた際に、押し花２ａからホットメルト溶液３がはみ出しても、ホットメルト溶液３の表面張力により、押し花２ａ付近にホットメルト溶液３が集まり、効率よくホットメルト溶液３を押し花２ａに添加することができる。
本実施の形態においては、酢酸ビニルを８Ｖｏｌ．％で溶解させたものを使用している。
【００１４】
乾燥工程６は、図３に示すように、剥離シート５上にホットメルト溶液３を添加した押し花２ａを並べて乾燥させる工程である。使用される剥離シート５は、本実施の形態においては、半透明の紙１１にシリコン樹脂１２を塗ったもので、押し花２ａはシリコン樹脂１２が塗布された面に並べられる。この時、押し花２ａの正面がシリコン樹脂１２を塗布した面になるように並べる。
【００１５】
なお、乾燥方法としては、押し花が変質しなければ自然乾燥でもドライヤーや乾燥機等を用いてもよい。
【００１６】
また、剥離シートは前述の構成に限られないが、後述する接着工程８において名刺７に接着する際に押し花の模様等が裏側からも視認できるように、ある程度光透過性がある材質を用いることが好適である。
【００１７】
接着工程８は、ホットメルト溶液３が乾燥した押し花２ｂの周囲で剥離シート５カットし、押し花２ｂが名刺７に接するようにひっくり返して名刺７の上に並べる。この時剥離シート５の裏側から押し花２ｂの模様を視認できると、花の向きや位置の微調整ができ、よりよい形で押し花を名刺７上に並べることができる。押し花２ｂを名刺７上に並べたら、アイロン１３により剥離シート５の裏側から押し花２ｂを加熱し、押し花２ｂに添加されたホットメルト接着剤１４を溶かし、名刺７の表面に押し花２ｂを接着する。このときアイロン１３の温度は１００?１５０度程度であることが望ましい。
【００１８】
保護剤塗布工程１０は、接着工程８で押し花２を接着した名刺７を重ね高温域にすると名刺７どうしがホットメルト接着剤１４によりで貼り付くことがあり、それを防ぐためにシリコン樹脂等の押し花保護剤９を薄く押し花２ｃ表面に指等で塗る。これにより、ホットメルト接着剤が他のものに付着することがないとともに、押し花２ｃを変質することなく、質感を楽しめる状態で名刺７に固定することができる。
【００１９】
［発明を実施するための異なる形態］
次に、図６および図７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２０】
図６および図７に示す本発明を実施するための第２の形態において、前記本発明を実施するための第１の形態と主に異なる点は、ラミネータ１６により押し花２ｂのホットメルト接着剤１４を溶かして名刺７に接着する接着工程８Ａにした点で、このようなカードの製造方法１Ａにしても、前記本発明を実施するための第１の形態と同様な作用効果が得られる。
【００２１】
なお、本発明の実施の形態においては、ホットメルト溶液添加工程では、押し花をホットメルト溶液の中に投入し、ホットメルト溶液を押し花に添加しているが、本発明はこれに限られず、押し花に筆で塗ったり、スポイト等でホットメルト溶液を垂らして添加してもよい。
【産業上の利用可能性】
【００２２】
本発明は押し花を接着したカードを製造する産業で利用される。
【符号の説明】
【００２３】
１、１Ａ：カードの製造方法、  ２：押し花、
３：ホットメルト溶液、
４：ホットメルト溶液添加工程、
５：剥離シート、            ６：乾燥工程、
７：名刺（カード）、          ８、８Ａ：接着工程、
９：押し花保護剤、          １０：保護剤塗布工程、
１１：紙、
１２：シリコン樹脂、        １３：アイロン、
１４：ホットメルト接着剤、  １５：有機溶媒、
１６：ラミネータ。
【図１】
0006506574.tif 000002
【図２】
0006506574.tif 000003
【図３】
0006506574.tif 000004
【図４】
0006506574.tif 000005
【図５】
0006506574.tif 000006
【図６】
0006506574.tif 000007
【図７】
0006506574.tif 000008